(57)【要約】【課題】ノンリニア編集システムからディジタルＶＣＲへデータを書き戻す際に実時間の処理時間が必要であり、且つ複雑な制御手順を要する。【解決手段】ディジタルデータを実時間のｎ倍速で入力するインターフェース手段１２１と、前記データを磁気テープメディア１５１に記録蓄積する手段１５０との間に、半導体などのメモリ手段１３１を備え、前記インターフェース手段１２１を介して前記メモリ手段１３１にｎ倍速で書き込みながら１倍速で読み出す手段１３２を備えた。【選択図】図１
2007164883.tif 000002
【特許請求の範囲】
【請求項１】
映像や音声のディジタルデータの記録装置であって、
外部から前記ディジタルデータを実時間のｎ倍速で入力するインターフェース手段と、
前記ディジタルデータを実時間のｍ倍速で記録蓄積する手段と、
前記インターフェース手段と前記ディジタルデータを記録蓄積する手段との間に配置され、前記ｎ倍速で入力されたディジタルデータを書き込みながら、指定のタイミング後に前記記憶されたディジタルデータをｍ倍速で読み出せるメモリ手段と、
前記メモリ手段において、前記ｎ倍速で書き込まれたデータ数とｍ倍速で読み出されたデータ数より前記メモリ手段に一時的に記憶されている残量を算出する手段と、
前記算出した残量に関する情報を前記インターフェース手段を用いてｎ倍速で前記ディジタルデータを出力している外部機器に通知する手段とを備えたことを特徴とする映像音声記録装置。
【請求項２】
ｎ＞ｍの場合に前記残量が増加し、前記メモリ手段の使用可能な空き容量を超えることが想定された場合に、前記外部機器に通知する手段によって、前記外部機器の出力を一時停止させ、追って残量が減少した場合に出力を再開させることを特徴とする請求項１記載の映像音声記録装置。
【請求項３】
ｎ＞ｍの場合に前記残量が増加し、前記メモリ手段の使用可能な空き容量を超えることが想定された場合に、前記外部機器に通知する手段によって、前記外部機器の出力速度をｍ倍速に低下させることを特徴とする請求項１記載の映像音声記録装置。
【発明の詳細な説明】
【技術分野】
【０００１】
本発明は、一般にコンピュータベースのノンリニア編集システムとＩＥＥＥ１３９４規格に準拠したシリアルバスインターフェースなどのディジタルインターフェース手段を介して接続するディジタルビデオカメラレコーダやディジタルテープレコーダ等の映像音声記録装置に関する。
【背景技術】
【０００２】
コンピュータ技術の進歩により、映像や音声の編集をコンピュータ上で行うことが広く普及している。そして、編集後のデータは、記録機器によって、蓄積及び配布するメディアとして安価であり信頼性のある磁気テープメディアに書き戻されている。
【０００３】
また、ディジタル伝送技術の進歩により、映像信号や音声信号（以下ＡＶデータと記す）と共にコントロール情報を共通のディジタル伝送路（以下バスと称する）を介して転送する機器が開発されている。ＡＶデータは記録、再生処理に同期して送受信される必要があるため、リアルタイム通信が可能なバスが必要となる。リアルタイム性とは映像や音声を途切れることなく転送することができることを示す。例えば、ディジタルテープレコーダ（以降ＶＣＲと略す）等の記録再生機器においては、記録媒体から連続的にＡＶデータを再生し、また記録媒体に連続的にＡＶデータを記録するため、リアルタイム性が要求される。
【０００４】
このようなＡＶデータを転送するためのバスとして、例えばＩＥＥＥ１３９４シリアルバス（以下１３９４バスと記す）が規格化（以下１３９４規格と記す）されている（非特許文献１参照。）。また、前記１３９４バスにおいてＡＶデータを転送するための規定として、１３９４規格の上位プロトコルとしてのＩＥＣ６１８８３が規格化（以下ＡＶプロトコルと記す）されている（非特許文献２参照。）。さらに、ＡＶデータの転送におけるコントロール情報の通信手順を規定するために、ＡＶ／Ｃ  Ｄｉｇｉｔａｌ  Ｉｎｔｅｒｆａｃｅ  Ｃｏｍｍａｎｄ  Ｓｅｔ（以下、ＡＶ／Ｃコマンドと記す）が規格化されている（非特許文献３及び非特許文献４参照。）。また、１３９４バスにおける高速転送の形態については、ＳＭＰＴＥ３９６Ｍにおいて規格化されている（非特許文献５参照。）。
【０００５】
図５は、パソコンなどのコンピュータベースによるノンリニア編集システム（以降ＮＬＥと略す）とＶＣＲを、１３９４バスを介して接続した構成を示すとともに、ＮＬＥからＡＶデータをＶＣＲに書き戻す際の制御手順を示したものである。
【０００６】
図５において、５００は、ＮＬＥであり、書き戻し動作をアセンブル編集にて行う場合の一般的な制御コマンド例を示している。５０１は、ＮＬＥにて編集したテープに書き戻すためのＡＶデータを示しており、ここでは、書き戻し対象範囲のフレームをＸ〜Ｘ＋Ｙとする。５０２は、１３９４バスである。５０３は、１３９４規格においてリアルタイム性が要求されるＡＶデータを送信するパケットとして用いられる同期パケット（Ｉｓｏｃｈｒｏｎｏｕｓ  ｐａｃｋｅｔ）を送信している様子をフレーム単位で示したものである。５０４はＶＣＲを示しており、１３９４バスを介してＮＬＥ５００と接続している。
【０００７】
以上の接続において、ＮＬＥ５００が編集データ５０１のＸ〜Ｘ＋Ｙフレームまでの有効ＡＶデータを、ＶＣＲ５０４を制御しながら、ＶＣＲ５０４に挿入されたテープ中のＢ〜Ｂ＋Ｙフレームの位置に書き戻す際の一般的な制御手順を順に説明する。
【０００８】
（１）イン点のサーチ
ＮＬＥ５００がＶＣＲ５０４に対して、テープ走行を制御するコマンドを用いて、所望のイン点Ｂの位置にＶＣＲ５０４のテープ位置を制御する。（以降ＣＵＥ  ＵＰ動作と記す）
（２）ＰＬＡＹ  ＰＡＵＳＥコマンド
ＮＬＥ５００がＶＣＲ５０４に対して、イン点Ｂの位置にて一旦テープ走行を停止させ、一般にＳＴＩＬＬと呼ばれる再生待機状態にする。
【０００９】
（３）ＲＥＣ  ＰＡＵＳＥコマンド
本コマンドは、次にＲＥＣコマンドが来る場合に有効な制御コマンドであり、確実にイン点Ｂの位置から新しいＡＶデータを記録する場合（アセンブル編集）に用いられる。ＮＬＥ５００からのＲＥＣ  ＰＡＵＳＥコマンドを受信したＶＣＲ５０４は、当該ＶＣＲ５０４固有の助走期間分（Ｂ−Ａ）だけテープを巻き戻した（ＡＵＴＯ  ＢＡＣＫ）後に待機（ＲＥＣ  ＰＡＵＳＥ）する。またＮＬＥ５００は、記録すべき有効ＡＶデータ５１０を前記同期パケットを用いて送信開始する前に、ＶＣＲ５０４側とフレームタイミングを同期させるために、同期調整用ＡＶデータ５１１（記録されない予定であるＡＶデータ）を送信しなければならない。ＶＣＲ５０４は以後、この同期調整用のＡＶデータのパケットヘッダから、同期情報を取り出しＰＬＬ回路によりＮＬＥ５００の送信フレーム周期に同期したクロックを生成して動作する。
【００１０】
（４）ＲＥＣコマンド
ＮＬＥ５００は、機器の状態を問い合わせるＴＲＡＮＣＥＰＯＲＴ  ＳＴＡＴＥコマンドによりＶＣＲ５０４がＲＥＣ  ＰＡＵＳＥ状態になったことを確認したのち、ＲＥＣコマンドを発行する。ＶＣＲ５０４はこのＲＥＣコマンドを受領すると、前記助走期間分テープを走行させた後、イン点Ｂより記録を開始する。ＮＬＥ５００は、ＶＣＲ５０４が記録するタイミングにあわせて同期調整区間のデータから有効ＡＶデータに切り替えて送信しなければならない。ところが、前記助走期間の長さはＶＣＲ毎に異なるため、一般的なＮＬＥでは、ＲＥＣコマンド発行タイミングから有効ＡＶデータに切り替わるまでの区間５３０の長さを変更可能とするためのパラメータを定義しており、ユーザーは前記パラメータを試行錯誤の上調整して用いる。
【００１１】
（５）ＳＴＯＰコマンド
ＮＬＥ５００は、編集データ５０１の有効データを送信し終えるタイミングを見計って、事前にＳＴＯＰコマンドなどの記録停止を行うためのコマンドを送信する。アセンブル編集では、記録のＯｕｔ点の精度を問題としないのであるが、使い方によってはＯｕｔ点の精度も重要となる。一般的なＶＣＲでは、ＳＴＯＰコマンドを受信したのち、実際に記録を停止するには、固定の遅延を必要とするため、ＮＬＥによっては、Ｏｕｔ点においてもＳＴＯＰコマンドの発行と有効ＡＶデータを送信し終えるまでの区間５４０を調整することが可能な場合がある。
【非特許文献１】ＩＥＣ６１８８３−１  「Ｃｏｎｓｕｍｅｒ  Ａｕｄｉｏ／Ｖｉｄｅｏ  Ｅｑｕｉｐｍｅｎｔ  −  Ｄｉｇｉｔａｌ  Ｉｎｔｅｒｆａｃｅ  Ｐａｒｔ１：Ｇｅｎｅｒａｌ」
【非特許文献２】ＩＥＣ６１８８３−２  「Ｃｏｎｓｕｍｅｒ  Ａｕｄｉｏ／Ｖｉｄｅｏ  Ｅｑｕｉｐｍｅｎｔ  −  Ｄｉｇｉｔａｌ  Ｉｎｔｅｒｆａｃｅ  Ｐａｒｔ２：ＳＤ−ＤＶＣＲ  ｄａｔａ  ｔｒａｎｓｍｉｓｓｉｏｎ」
【非特許文献３】１３９４  Ｔｒａｄｅ  Ａｓｓｏｃｉａｔｉｏｎ  「ＡＶ／Ｃ  Ｄｉｇｉｔａｌ  Ｉｎｔｅｒｆａｃｅ  Ｃｏｍｍａｎｄ  Ｓｅｔ  Ｇｅｎｅｒａｌ  Ｓｐｅｃｉｆｉｃａｔｉｏｎ  Ｖｅｒｓｉｏｎ  ４．１」
【非特許文献４】１３９４  Ｔｒａｄｅ  Ａｓｓｏｃｉａｔｉｏｎ  「ＡＶ／Ｃ  Ｔａｐｅ  Ｒｅｃｏｒｄｅｒ／Ｐｌａｙｅｒ  Ｓｕｂｕｎｉｔ  Ｓｐｅｃｉｆｉｃａｔｉｏｎ  ２．２」
【非特許文献５】ＳＭＰＴＥ３９６Ｍ  「Ｐａｃｋｅｔ  Ｆｏｒｍａｔ  ａｎｄ  Ｔｒａｎｓｍｉｓｓｉｏｎ  Ｔｉｍｉｎｇ  ｏｆ  ＤＶ−Ｂａｓｅｄ  Ｄａｔａ  Ｓｔｒｅａｍｓ  ｏｖｅｒ  ＩＥＥＥ１３９４」
【発明の開示】
【発明が解決しようとする課題】
【００１２】
しかしながら、これら従来の方法では、ＮＬＥから当該ＶＣＲへデータを書き戻すためには、実時間＋αの処理時間が必要であり、パソコンによって構成されているＮＬＥでは、その書き戻し作業の間、処理負荷の都合などにより他の編集作業ができなくなるため、出来る限り書き戻しに要する処理時間が短い方が望ましい。そこで１３９４バスの転送レートを高くすることが考えられるのであるが、１倍速以上の映像音声信号を磁気テープに記録するためには、磁気ヘッドの個数を増やすか高速に回転させる必要があり、いずれにしろ安価で小型化が必要なＶＣＲシステムに採用するにはコスト負担が大きいという欠点がある。また、前記のごとく磁気テープを用いた記録機器に記録するには所定の助走期間が必要となり、正確な編集動作を行うにはＮＬＥ側からの複雑な制御が必要となり、今後発売されるあらゆるＶＣＲ機器固有の制御方法を単純な制御方法で網羅することは現実的に困難であるという問題点を有していた。
【００１３】
本発明は上記問題点を解決するものであり、ノンリニア編集システム側での処理時間を短縮すると共に、テープの助走期間を不要とする映像音声記録装置を提供することを目的とする。
【課題を解決するための手段】
【００１４】
この課題を解決するために本発明は、外部からディジタルデータを実時間のｎ倍速で入出力するインターフェース手段と、前記ディジタルデータを磁気テープに記録蓄積する手段との間に、半導体メモリなどで構成した大容量メモリを配置したことを最も主要な特長とする。
【発明の効果】
【００１５】
この構成によって、ノンリニア編集システムから映像音声信号の記録機器への入出力動作において、その転送速度を実時間のｎ倍速で処理することが可能となり、ノンリニア編集システムにおける編集作業の中断時間を大幅に短縮することができるという優れた効果が得られる。また、助走期間が不要となるため、ノンリニア編集システムから簡単な制御にてフレーム単位の高い編集精度で記録することが可能なディジタルＶＣＲを提供できるという優れた効果も得られる。
【発明を実施するための最良の形態】
【００１６】
以下、本発明の実施の形態について、図１から図４を用いて説明する。
【００１７】
（実施の形態１）
図１は、本発明の実施の形態１として、映像や音声のディジタルデータを入力するインターフェース手段として１３９４インターフェースを有するディジタルＶＣＲの構成を示したものである。図１において１００はＮＬＥであり、１３９４バス１１０を介してＶＣＲ１２０と接続している。ＮＬＥ１００自体は、１３９４インターフェースを有するパソコンに、ノンリニア編集のためのソフトウェアをインストールしたものであるとする。始めに従来例にて詳述した書き戻し動作を実施する場合のＡＶデータの処理経路を順に説明する。ＮＬＥ１００にて作成されたＡＶデータは、１３９４バス１１０に出力される。１２１は、ＶＣＲ１２０の１３９４インターフェース部であり、ＰＨＹ／ＬＩＮＫレイヤを通じてパケット形式となり、内部のデータバス形式に変換されたＡＶデータ１２５になる。ＡＶデータ１２５は、メモリ１３１にメモリコントローラ１３２の制御によって書き込まれ、イン点のサーチ等所定の処理の後、ＡＶデータ１４０として読み出される。ＡＶデータ１４０は、エラー訂正符号の付加やテープ変調処理を施す記録蓄積処理部１５０において磁気テープメディア１５１に記録される。ＤＶ規格の場合、ＡＶデータは記録蓄積処理部１５０でＤＶ圧縮された形式であるため、圧縮伸張処理部２１０によってデコード処理を施しモニタ１９０へ出力される。
【００１８】
次に、制御コマンドに関する処理経路を説明する。ＡＶ／Ｃコマンド規格によるコマンドは、ＩＥＣ６１８８３−１に規定されるＦＣＰの手順に準じており、１３９４バス上を非同期パケット（Ａｓｙｎｃｒｏｎｏｓ  ｐａｃｋｅｔ）の形式で伝送される。コマンドの伝送手順は本発明と直接関係しないため詳細は省略するが、コマンド処理部１６０にて受信を確認した後、制御部１７０に通知する。
【００１９】
ここで本発明の効果を端的に示すために、１３９４インターフェース部は、実時間の４倍速転送が可能であり、また安価に小型化できる１倍速の記録蓄積処理部１５０を用いた場合を最良の実施形態として、以下具体的な動作を説明する。
【００２０】
図２は、従来例記載の書き戻し動作と対比して本実施例における書き戻し動作を示したものである。従来例記載と同等の編集データ２０１を１３９４バス１１０に４倍速で転送する。４倍速転送では、従来例における１倍速で１フレームを転送する期間（５１２）と同じ１フレームの期間（２１２）に４フレーム分のＡＶデータ２０２を転送する。ＡＶデータ２０２は、前記同様に１３９４インターフェース部１２１によって内部データバス形式に変換されたＡＶデータ１２５として、メモリ１３１に書き込まれる。この書き戻し処理に必要な処理時間２０３は、実時間の１／４に短縮され、以降ＮＬＥ２００では、すでに書き戻し処理を終了しているため、別の編集作業が開始できる（２０５）。
【００２１】
制御部１７０は記録蓄積処理部１５０を制御し、メモリに書き込まれたＡＶデータ１３３（２０４）を、ＣＵＥ  ＵＰ、ＳＴＩＬＬ、ＡＵＴＯ  ＢＡＣＫ、ＲＥＣ  ＰＡＵＳＥ、ＳＨＯＲＴ  ＰＬＡＹの順に制御し、ＡＶデータ１３４（２０６）として今度は１倍速で読み出す。読み出されたＡＶデータ１４０は、記録蓄積処理部１５０において磁気テープメディア１５１に１倍速で記録される。ここで従来例として前記した書き戻し動作と比較すると、ＮＬＥから一時的にメモリ１３１に記録することによって、テープ記録装置において必要となる所定の助走期間が不要となり、ＣＵＥ  ＵＰ・ＡＵＴＯ  ＢＡＣＫ動作などは、ＲＥＣコマンド受領後の機器内部処理として実施可能となる。すなわち、これらのコマンドに対する実質的な処理が不要となる。よって従来例にて詳述したＶＣＲ制御に必要な機器固有のパラメータを外部のＮＬＥが把握する必要がなく、書き戻しに必要なＮＬＥ側の制御を大幅に簡素化することができる。さらに、従来の書き戻し動作においては、前記のごとく同期調整用のＡＶデータ５１１及び有効ＡＶデータ５１０のパケットヘッダから、同期情報を取り出しＰＬＬ回路によりＮＬＥの送信フレーム周期に同期したクロックの生成が必要であったが、本発明の構成によればこのようなＡＶプロトコルにて定義されたＮＬＥ側の送信タイミングに同期して記録蓄積部１５０を動作させる必要がなく、関連回路の簡素化を図ることも可能となる。
【００２２】
（実施の形態２）
次にメモリ１３１の空き容量が、ＮＬＥから書き戻す編集データのサイズより少ない場合においても本発明を効果的に実施する形態について、図３および図６を用いて説明する。図６において、６０１は、メモリ１３１に対して書き込んだＡＶデータ１３３のデータ量を“Ｅ”、単位をフレームとして示したものである。６０２はメモリ１３１より読み出したＡＶデータ１３４のデータ量を“Ｆ”フレームとして示した。ここでメモリ１３１の空き容量を“Ｇ”フレーム（６０３）とすると、インターフェース上の転送速度のほうが、記録蓄積速度より速いために、前記メモリに一時記憶されているメモリ残量（＝Ｅ−Ｆ）が徐々に増加し、Ｇを超えることが想定される。すなわち、メモリ残量６０４が当初の空き容量Ｇと等しくなった後に引き続き転送を行うと、まだ読み出されていないＡＶデータを上書きしてしまう。そこでこのような場合における制御方法を図３を用いて説明する。
【００２３】
図３において、３００はＮＬＥ１００側の制御手順を示し、３０１はＶＣＲ１２０における制御部１７０の制御手順を示している。まず、Ｓ３０１にてＮＬＥ側から残量を確認するためのコマンド（以降残量確認コマンドとする）を発行する。ＶＣＲ１２０はＳ３０２にて残量確認コマンドを受領した後、Ｓ３０３にて残量（Ｅ−Ｆ）から、転送可能量（Ｇ−（Ｅ−Ｆ））を算出し、Ｓ３０４にて残量確認コマンドの応答を行う。ＮＬＥ側は、Ｓ３０５にて受領した残量確認コマンドから転送可能量を判別し、継続して転送が可能な場合（転送可能量≧１）はＳ３０６にて引き続き有効ＡＶデータを４倍速転送する。Ｓ３０５において、継続転送が不可能な場合は、Ｓ３０７にて次のフレーム開始点からのＡＶデータの転送を停止する。以降この繰り返しにより、メモリ１３１の空き容量がＮＬＥから書き戻すための編集データのサイズより少ない場合においても本発明の効果を享受することができる。本実施の形態においても実施の形態１同様に、１３９４インターフェース部は４倍速転送とし記録蓄積処理部は１倍速として説明したが、本実施の形態の構成はここで示す転送速度に限定されるものではない。また残量を管理する単位としてビデオデータのフレーム数で表現したが、同じくフレーム数に限定されるものではない。
【００２４】
（実施の形態３）
次に、前記Ｓ３０７における制御方法とは異なる実施の形態について、図４を用いて説明する。ここでＳ３０５までの手順は実施の形態２と同様であるため、その相違点についてのみ説明する。すなわち、Ｓ３０５にて受領した残量確認コマンドから転送可能量を判別し、継続して転送が可能な場合（転送可能量≧１）は、有効ＡＶデータの送信を引き続き４倍速で転送（Ｓ４０１）するが、Ｓ３０５において、継続転送が不可能な場合は、Ｓ４０２において、１３９４インターフェースにおける転送速度を４倍速から１倍速に切り替えて転送する。記録メディアがテープメディアの場合には、記録蓄積速度が一定で１倍速とすれば、最終フレーム（Ｘ＋Ｙ）を書き戻し終わるまでの間、以降の転送は１倍速となるため、Ｓ４０２以後の手順は、Ｓ３０１からの手順を繰り返す必要は無い。
【００２５】
以上の実施形態ではＮＬＥ側からの１３９４バス上の転送手段として、同期パケットを用いるＡＶプロトコルを前提に説明を行ったのであるが、非同期パケットを用いるＳＢＰ２プロトコル（Ｓｅｒｉａｌ  Ｂｕｓ  Ｐｒｏｔｏｃｏｌ  ２）を用いた場合においても、本発明における構成によってテープメディアに対する書き戻し処理を行うことが可能である。
【産業上の利用可能性】
【００２６】
本発明にかかる映像音声記録装置は、ノンリニア編集システムから映像音声信号の記録機器への書き戻し動作において、その転送速度を実時間のｎ倍速で処理することによって、ＮＬＥにおける編集作業の中断時間を大幅に短縮できるという優れた効果を有し、特に最終的な映像や音声のディジタルデータを記録するためのメディアの転送速度が、ノンリニア編集システムから記録機器への転送速度に比べて低い場合に有用である。
【図面の簡単な説明】
【００２７】
【図１】本発明の実施の形態１におけるディジタルＶＣＲの構成図
【図２】本発明の実施の形態１における書き戻し動作を示した図
【図３】本発明の実施の形態２における残量確認の制御手順を示した図
【図４】本発明の実施の形態３における残量確認の制御手順を示した図
【図５】従来のＮＬＥとＶＣＲの接続および書き戻し動作を示した図
【図６】本発明の実施の形態２及び実施の形態３におけるメモリ残量を示した図
【符号の説明】
【００２８】
１００  ＮＬＥ
１１０  １３９４バス
１２０  ディジタルＶＣＲ
１２１  １３９４インターフェース部
１３１  大容量メモリ手段
１３３  大容量メモリ手段への書き込みＡＶデータ
１３４  大容量メモリ手段からの読み出しＡＶデータ
１５０  記録蓄積処理部
１７０  制御部
１８０  圧縮伸張処理部
１９０  モニタ
【図１】
2007164883.tif 000003
【図２】
2007164883.tif 000004
【図３】
2007164883.tif 000005
【図４】
2007164883.tif 000006
【図５】
2007164883.tif 000007
【図６】
2007164883.tif 000008